(57)【要約】【課題】指針キャップの見えないスリムな指針表示と、表示意匠用光源の非点灯時に表示意匠がみえなくなり、点灯時に始めて表示意匠が見えるようにすることと、を両立して、意匠性の向上を図った表示装置を提供する。【解決手段】網板３が、指針用の第１文字板２に設けた第１開口部２１を覆うように、第１文字板２背面に配置される。インジケータ意匠４１〜４６が設けられた第２文字板４は、網板３の背面側に配置される。モータ６の回転軸６２と指針７の指針軸７２とを連結する指針キャップ８が、第２文字板４及び網板３間に配置される。また、網板３が、指針キャップ８に対向する部分よりも第２文字板４に設けたインジケータ意匠４１〜４６に対向する部分の方の目が粗く設けられている。【選択図】図３
2014025860.tif 000002
【特許請求の範囲】
【請求項１】
第１開口部が形成されると共に目盛りが形成された第１文字板と、
第３開口部が形成されると共に前記第１文字板に形成された前記第１開口部を覆うように前記第１文字板背面に配置され網板と、
第２開口部が形成されると共に前記網板の背面側に配置され、表示意匠が設けられた第２文字板と、
前記第２文字板の背面側に配置され、前記表示意匠を照明するための表示意匠用光源と、
前記第２文字板の背面側に配置された本体部及び前記本体部から前記第２開口部を通って前記第２文字板の正面に突出した回転軸を有するモータと、
前記第１文字板の正面に配置され、前記第１文字板上に形成された前記目盛りを指示する指針本体と前記指針本体から前記第１開口部及び前記第３開口部を通って前記網板の背面側に突出する指針軸とを有する指針と、
前記第２文字板及び前記網板間に配置され、前記モータの回転軸と前記指針の指針軸とを連結する指針キャップと、を備えた表示装置であって、
前記網板が、前記指針キャップに対向する部分よりも前記第２文字板に設けた表示意匠に対向する部分の方の目が粗く設けられている
ことを特徴とする表示装置。
【請求項２】
前記指針キャップには、ウエイトが取り付けられている
ことを特徴とする請求項１に記載の表示装置。
【請求項３】
前記網板が、前記第３開口部から外側に向かって徐々に目が粗くなるように設けられている
ことを特徴とする請求項１又は２に記載の表示装置。
【発明の詳細な説明】
【技術分野】
【０００１】
本発明は、表示装置に係り、例えば車両に搭載される表示装置に関するものである。
【背景技術】
【０００２】
車両に設けた表示装置としてのコンビネーションメータには、車両の状態（例えば異常）を報知するときにインジケータ用光源（＝表示意匠用光源）を点灯させてインジケータ意匠（＝表示意匠）を表示するインジケータ装置と、車両速度、回転数などを指針で表示する指針装置と、が設けられている。
【０００３】
上記インジケータ装置は、インジケータ意匠が設けられた第２文字板と、この第２文字板の背面に配置されたインジケータ用光源と、を備えている。第２文字板は、例えば導光板から構成され、その正面にインジケータ意匠が切り抜かれた遮光層が印刷されている。以上の構成によれば、インジケータ用光源が点灯すると、インジケータ意匠が光輝して視認される。上記インジケータ装置においては、意匠性を高めるため、インジケータ用光源が点灯していない時はドライバーからインジケータ意匠が見えないようにし、インジケータ用光源が点灯したとき初めてインジケータ意匠が見えるようにすることが理想である。
【０００４】
また、上記指針装置は、目盛りが設けられた第１文字板と、第１文字板上の目盛りを指示する指針と、指針を回転駆動するためのモータ、モータの回転軸及び指針の指針軸を連結する指針キャップと、を備えている。上述した指針装置においては、意匠性を向上させるために、腕時計の針のようなスリムな形状の指針を実現したい、という要望があった。スリムな指針形状を実現するためには、上記指針キャップをドライバーから視認できないようにする必要がある。
【０００５】
上記インジケータ装置の意匠性を向上するものとして特許文献１がある。特許文献１は、第２文字板の正面に網板を設け、インジケータ用光源が非点灯時にインジケータ意匠を見えにくくしているが、指針キャップが網板よりも正面側に配置されているため、指針キャップを見えにくくすることができない。
【０００６】
そこで、上記指針装置及びインジケータ装置の意匠性向上を図るために、本出願人は、指針キャップを網板の背面側に配することを考えたついた。これを図１０〜図１２を用いて説明する。なお、同図において、引用符号１００がコンビネーションメータ、１０１が指針装置、１０２がインジケータ装置、１０８が第２文字板、１０９がインジケータ用光源、１０３が第１文字板、１０４が指針、１０４Ａが指針軸、１０５がモータ、１０５Ａが回転軸、指針キャップ１０６を示している。同図に示すように、第１文字板１０３には中心に第１開口部１０３Ａが形成され、その背面を覆うように網板１１１が第１文字板１０３背面に配置される。そして、この網板１１１の背面側に第２文字板１０８が配置され、網板１１１と第２文字板１０８との間に指針キャップ１０６が配置される。このように網板１１１を設けることにより、正面から指針キャップ１０６及びインジケータ用光源１０９が非点灯時のインジケータ意匠１１０を見えにくくさせ、意匠性を向上させることができる。
【０００７】
しかしながら、上記網板１１１に設けられた網目の大きさは一様である。よって、図１３に示すように、網板１１１越しに指針キャップ１０６を視認する領域Ｘとインジケータ意匠１１０を視認する領域Ｙとが同程度で網板１１１によって遮られる。なお、図１３中、網掛けで示す範囲は、網板１１１を通る光を示している。このため、指針キャップ１０６を見えにくくするために網板１１１の目を小さくすると、インジケータ用光源１０９の点灯時にインジケータ意匠１１０が見えにくくなってしまう。逆に、インジケータ用光源１０９の点灯時にインジケータ意匠１１０が見えやすくなるように網板１１１の目を大きくすると、ため、指針キャップ１０６も見えやすくなってしまう、という問題が生じる。
【０００８】
この問題を解決するために、網板１１１自体を廃止して、指針キャップ１０６を第２文字板１０８の背面側に配置することも考えられる。しかしながら、そのようにすると、指針１０４がスリムな形状であった場合、第２文字板１０８に設けた指針軸１０４Ａを貫通させるための第２開口部１０８Ａが正面から視認され、見栄えが悪い。
【０００９】
また、従来、指針１０４もカウンタウエイト１０７を設けることが一般的であるが、指針キャップ１０６を網板１１１の背面側に配置した場合、網板１１１正面側のカウンタウエイト１０７が目立ってしまう。この問題を解決するために、カウンタウエイト１０７を指針キャップ１０６に移設することが考えられるが、そうすると、指針キャップ１０６を大きくせざる得ず、指針キャップ１０６を見えにくくする必要性がより一層強まる。
【先行技術文献】
【特許文献】
【００１０】
【特許文献１】特開２００５−７７２０８号公報
【発明の概要】
【発明が解決しようとする課題】
【００１１】
そこで、本発明は、指針キャップの見えないスリムな指針表示と、表示意匠用光源の非点灯時に表示意匠がみえなくなり、点灯時に始めて表示意匠が見えるようにすることと、を両立して、意匠性の向上を図った表示装置を提供することを課題とする。
【課題を解決するための手段】
【００１２】
上述した課題を解決するための請求項１記載の発明は、第１開口部が形成されると共に目盛りが形成された第１文字板と、第３開口部が形成されると共に前記第１文字板に形成された前記第１開口部を覆うように前記第１文字板背面に配置され網板と、第２開口部が形成されると共に前記網板の背面側に配置され、表示意匠が設けられた第２文字板と、前記第２文字板の背面側に配置され、前記表示意匠を照明するための表示意匠用光源と、前記第２文字板の背面側に配置された本体部及び前記本体部から前記第２開口部を通って前記第２文字板の正面に突出した回転軸を有するモータと、前記第１文字板の正面に配置され、前記第１文字板上に形成された前記目盛りを指示する指針本体と前記指針本体から前記第１開口部及び前記第３開口部を通って前記網板の背面側に突出する指針軸とを有する指針と、前記第２文字板及び前記網板間に配置され、前記モータの回転軸と前記指針の指針軸とを連結する指針キャップと、を備えた表示装置であって、前記網板が、前記指針キャップに対向する部分よりも前記第２文字板に設けた表示意匠に対向する部分の方の目が粗く設けられていることを特徴とする表示装置に存する。
【００１３】
請求項２記載の発明は、前記指針キャップには、ウエイトが取り付けられていることを特徴とする請求項１に記載の表示装置に存する。
【００１４】
請求項３記載の発明は、前記網板が、前記第３開口部から外側に向かって徐々に目が粗くなるように設けられていることを特徴とする請求項１又は２に記載の表示装置に存する。
【発明の効果】
【００１５】
以上説明したように請求項１記載の発明によれば、網板の指針キャップに対向する部分の目が細かく設けられているため、指針キャップを見えにくくすることができる。また、網板の第２文字板に設けた表示意匠に対向する部分の目が粗く設けられていため、表示意匠用光源の点灯時に表示意匠がはっきり視認できる。よって、指針キャップの見えないスリムな指針表示と、表示意匠用光源の非点灯時に表示意匠がみえなくなり、点灯時に始めて表示意匠が見えるようにすることと、を両立して、意匠性の向上を図ることができる。
【００１６】
請求項２記載の発明によれば、指針キャップには、ウエイトが取り付けられているため、指針キャップが大きくなり、指針キャップを隠す必要性が高まる。
【００１７】
請求項３記載の発明によれば、網板が、第３開口部から外側に向かって徐々に目が粗くなるように設けられているので、デザイン上違和感がなく、より意匠性の向上を図ることができる。
【図面の簡単な説明】
【００１８】
【図１】本発明の表示装置としてのコンビネーションメータの部分正面図である。
【図２】図１に示すコンビネーションメータを構成する網板の正面図である。
【図３】図１のＡ−Ａ線断面図である。
【図４】網板を取り除いた状態での図１に示すコンビネーションメータの部分正面図である。
【図５】第１文字板、第２文字板、網板及び指針を取り除いた状態での図１に示すコンビネーションメータの部分正面図である。
【図６】指針キャップで反射して網板を通ってドライバーに届く光を説明するための説明図である。
【図７】インジケータ用光源からの光がインジケータ意匠及び網板を通ってドライバーに届く光を説明するための説明図である。
【図８】網板を通る光の回折光を説明するための図である。
【図９】網板を通る光の回折光を説明するための図である。
【図１０】従来のコンビネーションメータの部分正面図である。
【図１１】図１０の部分拡大図である。
【図１２】図１１のＢ−Ｂ線断面図である。
【図１３】図１０に示すコンビネーションメータの指針キャップ及びインジケータ意匠の見え方を説明するための断面図である。
【発明を実施するための形態】
【００１９】
以下、本発明の表示装置としてのコンビネーションメータについて図１〜図８を参照して説明する。図１〜図３に示すように、コンビネーションメータ１は、車両のインストルメントパネルに取り付けられている。コンビネーションメータ１は、第１文字板２と、網板３と、第２文字板４と、インジケータ用光源５と、モータ６と、指針７と、指針キャップ８と、指針用光源９と、を備えている。
【００２０】
上記第１文字板２は、アクリル樹脂などの導光板から構成され、その中心に第１開口部２１が設けられたドーナツ状に形成されている。また、第１文字板２には、第１開口部２１の内縁に沿って凸状の目盛り２２が形成されている。さらに、第１文字板２の正面全体には、目盛り２２、２３及び数字２４に相当する部分が切り抜かれた遮光層（図示せず）が形成されている。以上の構成により、第１文字板２を構成する導光板に光を入射すると、その光が導光板内を導光し、遮光層が切り抜かれた目盛り２２、２３及び数字２４から正面に出射されるため、目盛り２２、２３及び数字２４が光輝して視認される。なお、上記第１文字板２の正面には、図１に示すように、燃料計１０の文字板１１及び指針１２が配置されている。
【００２１】
上記網板３は、図３に示すように、第１文字板２に形成された第１開口部２１を覆うように第１文字板２背面に重ねて配置されている。この網板３は、六角形状の網目が隙間なく設けられ、第１開口部２１の中心に対向する部分には後述する指針７の指針軸７２を通す第３開口部３１が設けられている。即ち、第１開口部２１及び第３開口部３１は同軸上に設けられている。網板３としては、ステンレスなどの金属製の金網であってもよいし、ＡＢＳなどの板状の樹脂に複数の網目を設けたものであってもよい。なお、本実施形態では、網板３には、六角形状の網目が設けられる例について説明するが、これは実施例の一つであり、他の多角形又は円形の網目が設けられていてもよい。
【００２２】
上記第２文字板４は、網板３の背面側に離間して配置され、複数のインジケータ意匠４１〜４６（表示意匠）が設けられている。第２文字板４は、ポリカーボネイト樹脂などの導光板から構成され、第１開口部２１より少し大きめの円盤状に設けられている。第２文字板４を構成する導光板の正面には、インジケータ意匠４１〜４６に相当する部分が切り抜かれた遮光層（図示せず）が印刷などにより形成されている。また、第２文字板４を構成する遮光層は、網板３と同系色（黒など暗色系が望ましい）にして、後述するインジケータ用光源５の非点灯時にインジケータ意匠４１〜４６が目立たないようにしている。また、第２文字板４の第１開口部２１の中心に対向する部分には、後述するモータ６の回転軸６２や指針キャップ８を通す第２開口部４７が設けられている。即ち、第１開口部２１及び第２開口部４７は、同軸上に設けられている。
【００２３】
上記インジケータ用光源５は、第２文字板４の背面側に配置され、インジケータ意匠４１〜４６を照明するために設けられている。このインジケータ用光源５は、図４及び図５に示すように、複数のインジケータ意匠４１〜４６に１対１で対応して設けられ（即ち複数のインジケータ意匠４１〜４６と同じ数設けられている）、第２文字板４の背面に配置された回路基板１３上に配置されている。この回路基板１３と第２文字板４との間には、樹脂製のケース１４が設けられている。
【００２４】
ケース１４は、図３及び図５に示すように、第２文字板４を支持する搭載壁１４１と、各インジケータ用光源５からの光を通すための開口１４２と、開口１４２の縁部から背面に向かって立設し、インジケータ用光源５を一つずつ囲む隔壁１４３と、指針７の回転軸６２を通すための開口１４４と、から構成されている。以上の構成により、インジケータ用光源５が点灯すると、その光は、正面に設けられたインジケータ意匠４１〜４６を通って正面に出射され、対応するインジケータ意匠４１〜４６が光揮して視認される。また、隔壁１４３により、インジケータ用光源５からの光は、対応しない他のインジケータ意匠４１〜４６に入射されないため、対応するインジケータ意匠４１〜４６のみが光揮して視認される。
【００２５】
モータ６は、例えばステッピングモータから成り、第２文字板４の背面側に配置された本体部６１及び本体部６１から突出した回転軸６２を有している。回転軸６２は、アクリル樹脂など導光性の部材が設けられている。回転軸６２は、その一端が本体部６１から第２文字板４に設けた第２開口部４７を通って第２文字板４の正面に突出し、他端が本体部６１内に挿入され、回路基板１３上に設けた指針用光源９と対向する。
【００２６】
指針７は、導光性の部材から構成され、第１文字板２の正面に配置され、第１文字板２上に形成された目盛り２２、２３を指示する指針本体７１と、指針本体７１から第１文字板２に設けた第１開口部２１及び網板３に設けた第３開口部３１を通って網板３の背面側に突出する指針軸７２とを有している。この指針７には、指針本体７１に設けた反射面などを隠す樹脂製のホルダ１６が取り付けられている。
【００２７】
指針キャップ８は、第２文字板４及び網板３間に配置され、モータ６の回転軸６２と指針７の指針軸７２とを連結するものである。詳しくは、指針キャップ８は、図３に示すように、モータ６の回転軸６２及び指針７の指針軸７２を挿入して保持する円筒部８１と、円筒部８１を中心とした円盤状の円盤部８２と、が設けられている。モータ６の回転軸６２及び指針７の指針軸７２は、円筒部８１に保持されると、互いに一直線状に並べられる。よって、指針用光源９が点灯されると、その光が回転軸６２を介して指針軸７２に入射され、指針７全体を導光することにより、指針７が光揮して視認される。円盤部８２には、カウンターウエイト８３（ウエイト）が内蔵されている。この指針キャップ８も、網板３と同系色にして、目立たないようにしている。
【００２８】
上述した構成のコンビネーションメータ１において、本発明の特徴は、網板３の構成である。図２に示すように、網板３は、第３開口部３１から外側に向かうに従って徐々に目が粗くなるように設けられている。このように網板３を設けることにより、網板３は、指針キャップ８に対向する部分よりも第２文字板４に設けたインジケータ意匠４１〜４６に対向する部分の方が目が粗く設けられる。
【００２９】
以上のように構成することにより、網板３の指針キャップ８に対向する部分の目が細かくもうけられているため、図６に示すように、指針キャップ８からの光は網板３に遮られる部分が多くなり、指針キャップ８を見えにくくすることができる。また、網板３の第２文字板４に設けた表示意匠に対向する部分の目が粗く設けられていため、図７に示すように、インジケータ用光源５からの光はほとんど網板３に遮られることなく、インジケータ用光源５の点灯時にインジケータ意匠４１〜４６がはっきり視認できる。よって、指針キャップ８の見えないスリムな指針表示と、表示意匠用光源の非点灯時に表示意匠がみえなくなり、点灯時に始めて表示意匠が見えるようにすることと、を両立して、意匠性の向上を図ることができる。
【００３０】
また、たとえ網板３を設けたとしても、インジケータ用光源５からの光は網板３を透過する際に、図８及び図９に示すように回折する。そして、この回折光Ｌ１の一部がドライバーの視点に達するので、網板３がウォーニング表示を遮る幅は網板３の幅Ｗよりも小さくなる。このため、網板３がウォーニング表示を遮ることによる視認性の影響は少ない。
【００３１】
また、上述した実施形態によれば、指針キャップ８には、カウンターウエイト８３が内蔵されている（取り付けられている）ため、指針キャップ８が大きくなり、指針キャップ８を隠す必要性が高まる。
【００３２】
また、上述した実施形態によれば、網板３が、第３開口部３１から外側に向かって徐々に目が粗くなるように設けられているので、デザイン上違和感がなく、より意匠性の向上を図ることができる。
【００３３】
また、上述した実施形態では、網板３を第３開口部３１から外側に向かって徐々に目が粗くなるように設けた場合、インジケータ意匠４１〜４６は、第２開口部４７を中心とした同一円上に並べて配置されている。これにより、網板３の網目が同じ大きさの部分に複数のインジケータ意匠４１〜４６を並べることができ、全てのインジケータ意匠４１〜４６の見え方が同じとなる。
【００３４】
なお、上述した実施形態によれば、網板３としては、第３開口部３１から外側に向かって徐々に目が粗くなるように設けられていたが、本発明はこれに限ったものではない。網板３としては、指針キャップ８に対向する部分よりも第２文字板４に設けたインジケータ意匠４１〜４６に対向する部分の方が目が粗く設けれていればよく、例えば、第３開口部３１を中心とし、指針キャップ８が隠れる半径ｘ以内の部分の網目だけを一様に細かくして、半径ｘ外の部分については一様に大きくするようにしてもよい。この場合、半径ｘ外の部分の網目は一様であるため、インジケータ意匠４１〜４６を第３開口部３１を中心とした同一円周上に並べて配置しなくても全て同じ見え方にすることができる。
【００３５】
また、上述した実施形態によれば、第２文字板４の遮光層、指針キャップ８及び網板３は暗色系にしていたが、本発明はこれに限ったものではなく、明色系にしてもよい。また、上述した実施形態によれば、第２文字板４の遮光層、指針キャップ８及び網板３は互いに同一色にしていたが、本発明はこれに限ったものではなく、第２文字板４の遮光層及び指針キャップ８だけを同一色として網板３については異なる色としてもよい。例えば、指針キャップ８を効果的に隠すための一例として、網板３を金属調（シルバー）で仕上げる、または、金属製の網板３を使用することも考えられる。これにより、網板３背後の黒色（第２文字板４の遮光層）と網板３上の金属調色とのコントラストが高くなり、ドライバーにっては、網板３背面の空間の黒色を強調することができ、指針キャップ８の隠蔽性が高くなる。
【００３６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３７】
１  コンビネーションメータ（表示装置）
２  第１文字板
３  網板
４  第２文字板
５  インジケータ用光源（表示意匠用光源）
６  モータ
７  指針
８  指針キャップ
１６  樹脂製ホルダ
２１  第１開口部
２２  目盛り
２３  目盛り
３１  第３開口部
４１〜４６  インジケータ意匠（表示意匠）
４７  第２開口部
６１  本体部
６２  回転軸
７１  指針本体
７２  指針軸
８３  カウンターウエイト（ウエイト）
【図１】
2014025860.tif 000003
【図２】
2014025860.tif 000004
【図３】
2014025860.tif 000005
【図４】
2014025860.tif 000006
【図５】
2014025860.tif 000007
【図６】
2014025860.tif 000008
【図７】
2014025860.tif 000009
【図８】
2014025860.tif 000010
【図９】
2014025860.tif 000011
【図１０】
2014025860.tif 000012
【図１１】
2014025860.tif 000013
【図１２】
2014025860.tif 000014
【図１３】
2014025860.tif 000015